(57)【要約】【目的】本発明の課題は、安楽に腰かけられ、かつ外観も良好な椅子を提供することにある。【解決手段】脚部２と、該脚部２上端に支持される座部５と、該座部５の後縁から立設されている背もたれ８とからなり、該背もたれ８は複数個の孔１０，１０Ａが設けられている孔明き基板９と、該孔明き基板９の前面に張設され表裏が所定の色に着色されている色付きクッション板１６とから構成し、該孔明き基板９の孔１０から色付きクッション板１６の色が透視出来るようにする。【選択図】      図４
2007275439.tif 000002
【特許請求の範囲】
【請求項１】
脚部と、該脚部上端に支持される座部と、該座部の後縁から立設されている背もたれとからなり、該背もたれは複数個の孔が設けられている孔明き基板と、該孔明き基板の前面に張設され表裏が所定の色に着色されている色付きクッション板とからなることを特徴とする椅子。
【請求項２】
脚部と、該脚部上端に支持される座部と、該座部の後縁から立設されている背もたれとからなり、該背もたれは所定の色に着色され複数個の孔が設けられている孔明き基板と、該孔明き基板の前面に張設され表裏が該孔明き基板の着色とは別の色に着色されている色付きクッション板と、該孔明き基板の背面に張設され該孔明き基板の着色および該色付きクッション板の着色とは異なる色に着色された背面板とからなり、該背面板には該孔明き基板の孔と重なる孔と該孔明き基板の孔に重ならない孔とがそれぞれ一個または二個以上設けられていることを特徴とする椅子。
【請求項３】
該孔明き基板は熱可塑性樹脂を材料とする請求項１または２に記載の椅子。
【請求項４】
該孔明き基板の側縁部には、該色付きクッション板によって被覆されない孔が設けられている請求項１〜請求項３のいずれか１項に記載の椅子。
【発明の詳細な説明】
【技術分野】
【０００１】
本発明は、椅子に関するものである。
【背景技術】
【０００２】
従来、熱可塑性エラストマーを材料とし、複数個の孔を有する背もたれを具備する椅子が提供されている（例えば特許文献１参照）。
【０００３】
【特許文献１】特許第３６８６３０９号公報
【０００４】
上記背もたれは良好な弾性力と弾性復元性を有し、かつリサイクル可能である。そして複数個の孔を設けることによって弾力性が調節される。
【発明の開示】
【発明が解決しようとする課題】
【０００５】
しかしながら、背もたれに複数個の孔を設けると、背後から背もたれの複数個の孔を介して前方が透視され、例えば腰かけている人の背中が見えたりして外観的に好ましくない。
【課題を解決するための手段】
【０００６】
本発明は上記従来の課題を解決するための手段として、脚部２と、該脚部２上端に支持される座部５と、該座部５の後縁から立設されている背もたれ８とからなり、該背もたれ８は複数個の孔が設けられている孔明き基板９と、該孔明き基板９の前面に張設され表裏が所定の色に着色されている色付きクッション板１６とからなる椅子１を提供するものである。
また更に脚部２と、該脚部２上端に支持される座部５と、該座部５の後縁から立設されている背もたれ８とからなり、該背もたれ８は所定の色に着色され複数個の孔１０，１０Ａが設けられている孔明き基板９と、該孔明き基板９の前面に張設され表裏が該孔明き基板９の着色とは別の色に着色されている色付きクッション板１６と、該孔明き基板９の背面に張設され該孔明き基板９の着色および該色付きクッション板１６の着色とは異なる色に着色された背面板１９とからなり、該背面板１９には該孔明き基板９の孔１０と重なる孔２３と該孔明き基板９の孔１０に重ならない孔２３Ａとがそれぞれ一個または二個以上設けられている椅子１を提供するものである。
該孔明き基板９は熱可塑性樹脂を材料とすることが望ましい。
また該孔明き基板９の側縁部には、該色付きクッション板１６によって被覆されない孔１０Ａが設けられていることが望ましい。
【発明の効果】
【０００７】
〔作用〕
本発明の椅子１の背もたれ８にあっては、該孔明き基板９の前面に色付きクッション板１６が張設されているので、該椅子１に腰かけている人の背中に該クッション板１６がなじみ、かつ背後からは該クッション板１６に付されている色が該孔明き基板９の孔１０を介して透視出来るから、外観的にも好ましい。
該孔明き基板９の着色と該色付きクッション板１６の着色とを異ならしめれば、該孔明き基板９の孔１０を介して透視されるクッション板１６の色と該孔明き基板９の色とのコントラストによって好ましい外観が提供される。
更に背面板１９にあっては該孔明き基板９の孔１０と重なっている孔２３からは該クッション板１６の色が透視出来、重なっていない孔２３Ａからは該孔明き基板９の色が透視出来、該椅子１の背もたれ８の背後からは、該孔明き基板９の色と、該クッション板１６の色と、該背面板１９の色とが看取され、コントラストがあり面白味のある外観が得られる。
また孔明き基板９の側縁部には、該色付きクッション板１６によって被覆されていない孔１０Ａが設けられていると、上記三色に加えて該孔１０Ａから椅子１の前方が透視出来、更に腰かけている人の衣服の色が透視されるので、更に面白味のある外観となる。
【０００８】
〔効果〕
したがって本発明の椅子はリサイクルが可能でかつ人に苦痛を与えず安楽に腰かけることが出来、また外観的にも好ましい。
【発明を実施するための最良の形態】
【０００９】
本発明を図１〜図４に示す一実施例によって以下に詳細に説明する。
図１に示す椅子１は、基台部３と該基台部３に上方から回転可能に挿着されている回転支柱部４とからなる脚部２と、該脚部２の回転支柱部４の上端に支持されている座部５と、該座部５の後縁から立設されている背もたれ８とからなり、該座部５は座部基台６と、該座部基台６上に載設されている座部クッション７とからなり、該背もたれ８は複数個の孔１０，１０Ａと上縁部に弧状窓孔１５とを有する孔明き基板９と、該孔明き基板９の前面に張設されている色付きクッション板１６とからなり、該孔明き基板９の前面には該クッション板１６を嵌着する嵌着凹部１１が設けられ、背面には後端から立上る主リブ１２と、該主リブ１２の上端部から両側に真横に延びる横リブ１３，１３と、該主リブ１２の上端部から斜め上方に延びる斜リブ１４，１４とが形成されている。
【００１０】
上記孔明き基板９は、例えばポリスチレン、耐衝撃性ポリスチレン、スチレン−アクリロニトリル共重合体、スチレン−アクリロニトリル−ブタジエン共重合体、ポリアミド、ポリカーボネート等の硬質熱可塑性樹脂の射出成形品からなる。上記熱可塑性樹脂には、黒色顔料、赤色顔料、青色顔料、黒色染料、赤色染料、青色染料等の色材、老化防止剤、紫外線吸収剤、難燃剤等が添加されてもよい。
【００１１】
上記したように孔明き基板９は通常上記熱可塑性樹脂の射出成形によって製造されるが、脚部２や座部基台６も上記熱可塑性樹脂の射出成形品であることが好ましい。
上記孔明き基板９に設けられる複数個の孔１０は通常７〜１６ｍｍとされる。
【００１２】
上記色付きクッション板１６は図４に示すように、ポリウレタン発泡体、ポリエチレン発泡体、ポリプロピレン発泡体、熱可塑性エラストマー発泡体、合成ゴム発泡体、フェルト等のクッション芯材１７と、該クッション芯材１７を被覆する表皮材１８とからなり、該表皮材１８はポリウレタンシート、ポリエステルシート、ポリエチレンシート、ポリプロピレンシート、ポリアミドシート、ポリ塩化ビニルシート等の合成樹脂シートからなり、所定の色彩、例えば黒、青、黄、オレンジ、赤等に着色されている。上記合成樹脂シートの着色は樹脂材料に顔料あるいは染料を混合することによって行うのが一般的であるが、該シートに着色塗料を塗布してもよい。
【００１３】
このような色付きクッション板１６によって、該背もたれ８の孔明き基板９の孔１０は周縁の孔１０Ａを除いて塞がれ、該孔１０から該クッション板１６の表皮材１８の色が透視され、また周縁の孔１０Ａからは椅子１の前方あるいは腰かけている人の衣服の色が透視される。
【００１４】
上記座部クッション７も上記クッション板１６と同様な構成とされ、表皮材には所定の着色が付されるが、背もたれ８と座部５とは同色にされてもよいし、また異色にされてもよい。
【００１５】
図５〜図８には本発明の他の実施例が示される。本実施例では前実施例の椅子１の背もたれ８の孔明き基板９の背面上部に更に背面板１９が取付けられる。該背面板１９は該孔明き基板９と同様な熱可塑性樹脂の射出成形品からなり、該孔明き基板９の横リブ１３，１３よりも上部に被着され、該孔明き基板９の斜リブ１４，１４の外側に適嵌する斜リブ２０，２０が形成されており、上縁には該孔明き基板９の上縁部弧状窓孔１５に嵌合する弧状肉厚部２１が形成され、該弧状肉厚部２１には亀甲模様２４を介して左右に多孔２２が設けられている。
【００１６】
更に該弧状肉厚部２１と該斜リブ２０，２０とに囲まれた部分には該孔明き基板９の孔１０と重なる孔２３（白丸で示す）の複数個と、該孔明き基板９の孔１０と重ならない孔２３Ａ（黒丸で示す）とが設けられ、斜リブ２０，２０の外側にも該孔明き基板９の孔１０と重なる孔２３（白丸で示す）が設けられている。
【００１７】
本実施例にあっては、該孔明き基板９と該クッション板１６と該背面板１９とを相互異色に設定することが望ましい。具体的には例えば孔明き基板９を黒、クッション板１６を青、背面板１９を赤とする。そうすると椅子１の背もたれ８の孔明き基板９の背面上部に該背面板１９を取付けた場合、該椅子１を背後から見ると、該背面板１９の該孔明き基板９の孔１０と重なっている孔２３からは該孔明き基板９の前面に取付けられている該クッション板１６の色（青）が看取され、該孔明き基板９の孔１０と重なっていない孔２３Ａからは該孔明き基板９の色（黒）が看取され、該孔明き基板９の背面板１９より下部の孔１０からは該クッション板１６の色（青）が看取され、黒、青、赤のコントラストにより優れた外観が提供され、更に該孔明き基板９の周縁の孔１０Ａおよび該背面板１９の弧状肉厚部２１の孔２２からは前方が透視出来、あるいは腰かけている人の衣服が透視出来、更に面白味が加味される。
【００１８】
本発明にあっては、該孔明き基板９の孔や該背面板１９の孔は円形、三角形、四角形、六角形等の多角形、楕円形等種々な形状にされてもよいし、また形状や寸法の異なる孔を混合使用してもよい。更に孔は透孔のみならず閉鎖孔としてもよい。
【００１９】
また本発明では回転椅子が例示されたが、固定椅子であってもよいし、また四脚を具備するものでもよい。
【産業上の利用可能性】
【００２０】
本発明の椅子は外観が良好であるから、パチンコ等の遊戯機用椅子として極めて好適であり、産業上利用可能である。
【図面の簡単な説明】
【００２１】
図１〜図４は本発明の一実施例を示すものである。
【図１】色付きクッション板を除いた状態の椅子正面図
【図２】色付きクッション板を除いた状態の椅子背面図
【図３】色付きクッション板を取付けた状態の斜視図
【図４】背もたれ部分側断面図  図５〜図８は本発明の他の実施例を示すものである。
【図５】背面板の正面図
【図６】背面板の側断面図
【図７】背面板を取付けた孔明き基板の側断面図
【図８】背面板を取付けた孔明き基板の背面図
【符号の説明】
【００２２】
１            椅子
２            脚部
３            基台部
４            回転支柱部
５            座部
６            座部基台
７            座部クッション
８            背もたれ
９            孔明き基板
１０，１０Ａ  孔
１６          （色付き）クッション板
１９          背面板
２３，２３Ａ  孔
【図１】
2007275439.tif 000003
【図２】
2007275439.tif 000004
【図３】
2007275439.tif 000005
【図４】
2007275439.tif 000006
【図５】
2007275439.tif 000007
【図６】
2007275439.tif 000008
【図７】
2007275439.tif 000009
【図８】
2007275439.tif 000010